(57)【特許請求の範囲】
【請求項１】
キッチン，洗面台，浴室等の各設備機器を固設するユニット構造において、
垂直フレーム上方に建築躯体まで延長された連結フレームを有するフレームで、キッチン，洗面，浴室のうち少なくとも２以上の水廻り空間を形成させ、前記フレームに各設備機器を固設してなり、
前記連結フレームの少なくとも一部が開閉体を吊り下げ可能な構造を有する
ことを特徴とするユニット構造。
【請求項２】
前記開閉体が引き戸である請求項１に記載のユニット構造。
【請求項３】
垂直フレーム上方にアッパーキャビネット等の他の設備機器まで延長された梁フレームを有するフレームにより、キッチン，洗面，浴室のうち少なくとも２以上の水廻り空間を形成させてなり、
前記梁フレームの少なくとも一部が開閉体を吊り下げ可能な構造を有する
ことを特徴とするユニット構造。
【請求項４】
前記開閉体が引き戸である請求項３に記載のユニット構造。
【発明の詳細な説明】
【技術分野】
【０００１】
本発明は、キッチン，洗面，浴室等の水廻り空間を形成するためのユニット構造に関するものである。
【背景技術】
【０００２】
従来、この種の水廻り空間を形成するユニット構造として、特許文献１に開示されているようなものがある。
特許文献１の構造では、配管が収納された床部上に配置された各種器具と、床部上に立設された壁部で各種ユニットが構成され、この各種ユニットの床部を所定の場所に並べて、容易に流し台，洗面台等の器具が使用可能な状態に設置することができるものとしている。
【先行技術文献】
【特許文献】
【０００３】
【特許文献１】特開平８−１９９８３５号公報
【発明の概要】
【発明が解決しようとする課題】
【０００４】
上記特許文献１に開示されているユニット構造では、完成された各種ユニットを所定場所に並べて配置するものであり、各ユニットが大型のものとなり、各ユニットのコストが増大してしまうという問題点がある。
【課題を解決するための手段】
【０００５】
本発明は、現場でフレームを繋いで簡易に水廻り空間を形成させることのできるユニット構造の提供を目的とし、この目的の少なくとも一部を達成するために以下の手段を採った。
本発明は、キッチン，洗面台，浴室等の各設備機器を固設するユニット構造において、
垂直フレーム上方に建築躯体まで延長された連結フレームを有するフレームで、キッチン，洗面，浴室のうち少なくとも２以上の水廻り空間を形成させ、前記フレームに各設備機器を固設してなり、
前記連結フレームの少なくとも一部が開閉体を吊り下げ可能な構造を有する
ことを要旨とする。
【発明の効果】
【０００６】
本発明のユニット構造では、現場で複数のフレームにより、２以上の水廻り空間を容易に形成させることができ、フレームを構成する連結フレームは建築躯体まで延長されているため、建築躯体に強度依存させることができ、強固に自立した水廻り空間を簡易に施工することができて、キッチン，洗面台，浴室等の各設備機器を固設することができ、しかも、連結フレームに開閉体を吊り下げて設けることができるものとなる。
【０００７】
また、本発明のユニット構造において、前記開閉体が引き戸であるものとすることができる。
こうすれば、連結フレームに吊り下げ状にして引き戸を開閉可能に設けることができる。
【０００８】
また、本発明の別のユニット構造は、垂直フレーム上方にアッパーキャビネット等の他の設備機器まで延長された梁フレームを有するフレームにより、キッチン，洗面，浴室のうち少なくとも２以上の水廻り空間を形成させてなり、
前記梁フレームの少なくとも一部が開閉体を吊り下げ可能な構造を有する
ことを要旨とする。
こうすれば、複数のフレームにより、建築躯体への強度依存を小さくして２以上の水廻り空間を容易に形成させ自立させることができるものとなる。また、給・排水や間仕切り壁等を共有させることができて、簡易に現場で施工することができ、しかも、梁フレームに開閉体を吊り下げて設けることができるものとなる。
【０００９】
また、本発明のユニット構造において、前記開閉体が引き戸であるものとすることができる。
こうすれば、梁フレームに吊り下げ状にして引き戸を開閉可能に設けることができる。
【図面の簡単な説明】
【００１０】
【図１】複数のフレームを梁フレームで連結して室内にキッチン空間と洗面空間と浴室空間を形成させた斜視構成図である。
【図２】更に洗面空間に開閉可能な引き戸を設けた斜視構成図である。
【図３】図１における設備機器を取り付ける前のフレーム構造を示す斜視構成図である。
【図４】洗面空間と浴室空間のみを形成させた場合の斜視構成図である。
【図５】引き戸の支持構造を示す拡大構成図である。
【図６】建築躯体に強度依存させることなくキッチン空間と洗面空間と浴室空間を床面に自立させた斜視構成図である。
【図７】ユニットバスの外周に複数の枠フレームを配置した分解斜視図である。
【図８】更に枠フレームに取り付ける間仕切りパネルを追加した分解斜視図である。
【図９】ユニットバスの平面構成図である。
【図１０】ユニットバスの外周に枠フレームを介して間仕切りパネルを設置した状態の要部拡大平面構成図である。
【図１１】ユニットバスの外周に間仕切りパネルを設置した状態の要部縦断面構成図である。
【図１２】間仕切りパネルを枠フレームの外側に設置した場合の要部平面拡大構成図である。
【図１３】更にパッキン材を用いた場合の間仕切りパネルの設置状態を示す要部平面拡大構成図である。
【図１４】二面開口サッシを設ける場合のユニットバスとその外側に配置される枠フレームと間仕切りパネルの分解斜視図である。
【図１５】枠フレームの分解図である。
【図１６】枠フレームを構成する上フレームと側フレームの分解拡大斜視図である。
【図１７】枠フレームを構成する側フレームと下フレームと連結材の分解拡大斜視図である。
【発明を実施するための形態】
【００１１】
次に、本発明を実施するための形態を実施例を用いて説明する。
図１は、キッチン空間と洗面空間と浴室空間を室内に形成させた場合の斜視図である。
本例では、床面１ａから垂直に立ち上がる垂直フレーム４と、この垂直フレーム４の上端から建築壁１ｂ側まで水平に延長された連結フレーム５とで構成されるフレームユニット２ａ，２ｂ，２ｃ，２ｄを間隔をおいて配置し、それぞれ複数の梁フレーム３，３，３を架け渡し状に連結して自立させたものであり、フレーム構造は図３の斜視図に示す。
【００１２】
このように、４つのフレームユニット２ａ，２ｂ，２ｃ，２ｄを複数の梁フレーム３，３，３で連結し、その後に梁フレーム３，３にキッチン本体８やアッパーキャビネット７を取り付け固定してキッチン空間Ｓ１を形成させることができ、また、フレームユニット２ｂと２ｃ間に洗面台９を設置して洗面空間Ｓ２を形成させることができ、フレームユニット２ａと２ｂ間には浴室を設置して浴室空間Ｓ３を形成させることができるものである。
【００１３】
なお、連結フレーム５は建築壁１ｂに当接させて、アングル材などを用いて建築壁１ｂに固定しておくことができ、建築壁１ｂに強度を依存させてフレームユニット２ａ，２ｂ，２ｃ，２ｄを床面１ａ上に自立させることができるものである。
なお、図において、６は配管フレームであり、配管フレーム６は建築壁１ｂに沿ってそれぞれ立設されており、各フレームユニット２ａ，２ｂ，２ｃ，２ｄのそれぞれの連結フレーム５に連結させておいても良く、その場合は、各フレームユニット２ａ，２ｂ，２ｃ，２ｄは、垂直フレーム４と連結フレーム５と配管フレーム６による門型状に形成されて、現場において複数の梁フレーム３，３でそれらが連結されて組み立てられるものである。
【００１４】
なお、梁フレーム３には、水栓や照明器機等も取り付け固定することができ、しかも、給・排水管や電気配線等は、梁フレーム３やフレームユニットを構成する垂直フレーム４，連結フレーム５，配管フレーム６内に収納させて、すっきりとした水廻り空間を形成させることができるものとなる。
【００１５】
なお、図２は、洗面空間Ｓ２に開閉可能な引き戸１１を設けた場合の斜視図であり、更に図４は、キッチン空間Ｓ１を省略して、室内に洗面空間Ｓ２と浴室空間Ｓ３のみを形成させた場合の斜視図である。
なお、フレームユニット２ｃの内周側には間仕切りパネル１０を嵌め込んで、洗面空間Ｓ２を良好に間仕切ることができるものである。
【００１６】
なお、フレームユニットを構成する垂直フレーム４と連結フレーム５および梁フレーム３は、図５の断面拡大図で示すようなＣ型鋼材で構成されており、例えば梁フレーム３は、基片３ａの左右両端側から９０度折曲して側片３ｂ，３ｂが一体形成され、側片３ｂ，３ｂの他端には９０度折曲して折れ片３ｃ，３ｃが一体形成されて、折れ片３ｃ，３ｃ間は開口Ｋとなっている。
この開口ＫからＣ型鋼材のフレーム内に配管等を良好に入れることができるものであり、図５では、Ｃ型鋼材のフレームに引き戸１１を取り付けている。
即ち、引き戸１１の上端面に支持金具１２を固定し、この支持金具１２に軸１３を設けて、軸１３の左右両端側に車輪１４，１４を設け、この車輪１４，１４を梁フレーム３内の折れ片３ｃ，３ｃ上に配置すれば、車輪１４，１４は折れ片３ｃ，３ｃ上を良好に転動し、これにより引き戸１１を良好に開閉できるものである。
【００１７】
なお、支持金具１２は、引き戸１１にビス等で固定される固定部１２ａから一対の立上部１２ｂ，１２ｂが形成されたものである。
このように梁フレーム３等を利用して、引き戸等の間仕切り部材を良好に設置することもでき、現場において、梁フレーム３を用いて各フレームユニット２ａ，２ｂ，２ｃ，２ｄを連結して組み立て、各種機器を梁フレーム３に取り付けて、自立した水廻り空間を工期を短縮させて構築することができるものである。
【００１８】
なお、図６に示すものは、建築壁１ｂに強度を依存させることなくフレームユニット２ａ，２ｂ，２ｃ，２ｄを床面１ａ上に自立させた場合であり、この図６の場合は、垂直フレーム４と連結フレーム５と配管フレーム６からなる門型状の各フレームユニット２ａ，２ｂ，２ｃ，２ｄを複数の梁フレーム３，３で連結して、床面１ａ上に自立できるように組み立てたものであり、その後に複数の梁フレーム３にはキッチン本体８，アッパーキャビネット７等の各種の設備器具が取り付けられるものである。
なお、図６では、キッチン空間Ｓ１の背面側に背面収納キャビネット１５を設けたものであり、この背面収納キャビネット１５も梁フレーム３に固定して設置することができるものである。
【００１９】
図６の場合は、建築躯体への依存を少なくでき、しかも給・排水管や電気配線等はフレーム内に収納して、各キッチン空間Ｓ１，洗面空間Ｓ２，浴室空間Ｓ３において給・排水管や電気配線を共有化させることができ、また、間仕切り壁等も共有化させることができるものとなる。
また、図６の場合には、連結フレーム５は建築壁１ｂまで延長させておく必要はなく、垂直フレーム４と他の設備機器まで延長された梁フレーム３によるフレームユニットを形成させておき、この垂直フレーム４と梁フレーム３からなる複数のフレームユニットを、連結フレーム５で連結することで、複数の空間Ｓ１，Ｓ２，Ｓ３を自立状に構築することもできる。
【００２０】
次に、図７は、浴室空間Ｓ３を構成するユニットバス１６と、その外側に配置される枠フレーム１７ａ，１７ｂ，１７ｃ，１７ｄの分解斜視図を示す。
更に図８では、各枠フレーム１７ａ，１７ｂ，１７ｃ，１７ｄに取り付ける間仕切りパネル２３を示している。
このように、ユニットバス１６の外周に複数の枠フレーム１７ａ，１７ｂ，１７ｃ，１７ｄを設けて、各枠フレーム１７ａ，１７ｂ，１７ｃ，１７ｄに間仕切りパネル２３をそれぞれ嵌め込み状に取り付けできるものとなる。
【００２１】
なお、ユニットバスの平面図は図９に示し、ユニットバスの要部縦断面構成図は図１１に示す。
このユニットバス１６は、床面１ａに形成させた開口内に、防水パン１６ａを高さ調整ボルト１６ｅにより高さ調整して設置し、この防水パン１６ａの外周に複数の内壁パネル１６ｂを立設し、複数の内壁パネル１６ｂの上端に天井パネル１６ｃを配設して構成され、複数の内壁パネル１６ｂ，１６ｂを固定するために、外周側に間隔をおいて複数のポスト材１６ｄ，１６ｄが立設された構造となっており、このユニットバス１６のポスト材１６ｄ，１６ｄの外側に、前述した枠フレーム１７ａ，１７ｂ，１７ｃ，１７ｄをビス等で固定できるものである。
【００２２】
このようにユニットバス１６の外周に複数の枠フレーム１７ａ，１７ｂ，１７ｃ，１７ｄを取り付け、各枠フレーム内にそれぞれ間仕切りパネル２３を嵌め込んで構成することができる。更にユニットバス１６の入口には枠状のドアサッシ１８を設置して、このドアサッシ１８にはドアを取り付ける。
【００２３】
なお、枠フレーム１７ａ，１７ｂ，１７ｃ，１７ｄは、それぞれ図１５に分解図で示すように、Ｃ型鋼材で形成されている上フレーム１９と左右の側フレーム２１，２１に、Ｌ型の下フレーム２０を組み付けて構成されている。
例えばＣ型鋼材で形成されている側フレーム２１は、図１０に示すように、基片２１ａの両側から一体状に９０度折曲して一対の側片２１ｂ，２１ｂが形成され、側片２１ｂ，２１ｂの先端では９０度折曲して折れ片２１ｃ，２１ｃが形成され、折れ片２１ｃ，２１ｃ間に開口Ｋが形成されている。この開口Ｋ内に、間仕切りパネル２３を差し込んで、良好に間仕切りパネル２３を各枠フレーム１７ａ，１７ｂ，１７ｃ，１７ｄに嵌め込み状に取り付けできるものである。
【００２４】
図１０では、ユニットバス１６のコーナー側のポスト材１６ｄに、枠フレーム１７ｃの側フレーム２１をビス等で取り付け固定し、この枠フレーム１７ｃの側フレーム２１に対し、枠フレーム１７ａの側フレーム２１を当接させて、枠フレーム１７ｃの基片２１ａと枠フレーム１７ａの側片２１ｂをビス止め固定したものである。
なお、間仕切りパネル２３は、枠フレーム１７ａ，１７ｂ，１７ｃの外側に取り付け固定して配置することもでき、この場合は、図１２のような構成となり、間仕切りパネル２３，２３により枠フレーム１７ａ，１７ｂ，１７ｃ，１７ｄは隠されて、すっきりとした形態となる。
【００２５】
なお、間仕切りパネル２３を嵌め込む構造の場合に、図１３に示すように、間仕切りパネル２３のガタツキを無くするためにパッキン材２４を開口Ｋに嵌め込んで用いることができる。
このパッキン材２４は樹脂或いはゴム製のものであり、基片２４ａの一端側に９０度折曲して当接片２４ｂが一体形成され、基片２４ａの他端側には当接片２４ｂと平行状に立上片２４ｃが形成され、立上片２４ｃの先端に鉤状に曲がった鉤片２４ｄが一体形成されたものである。
【００２６】
図１３に示すように、このパッキン材２４を開口Ｋに嵌め込み、間仕切りパネル２３の外面に当接片２４ｂを当接させ、鉤片２４ｄを枠フレームの折れ片２１ｃの内側に配置させて取り付けることで、このパッキン材２４により、間仕切りパネル２３がしっかりと各枠フレーム１７ａ，１７ｂ，１７ｃ，１７ｄに固定されることとなり、間仕切りパネル２３のガタツキやズレが防がれるものとなる。
【００２７】
なお、図１４の斜視図で示すものは、二面開口した二面開口ドアサッシ１８をユニットバス１６の入口に取り付ける場合を示している。
図１４の場合にも、ユニットバス１６のポスト材１６ｄの外側に複数の枠フレーム１７ａ，１７ｂ，１７ｃ，１７ｄが取り付けられ、各枠フレームに間仕切りパネル２３が取り付けられる。
【００２８】
なお、各枠フレームは、枠フレーム１７ｂを例にとって説明すると、図１５の分解図で示すように構成され、図１６および図１７に拡大して示すように、上フレーム１９，下フレーム２０，側フレーム２１，２１は、現場で適宜カットして寸法調整できるように構成されており、側フレーム２１の基片２１ａには、上下方向に間隔をおいてそれぞれ一対のバカ孔２１ｄ，２１ｄが貫通形成されており、側フレーム２１の折れ片２１ｃには、各バカ孔２１ｄと整合する高さ位置にビス孔２１ｅが上下方向に間隔をおいて貫通形成されている。
【００２９】
一方、上フレーム１９の内周側には、ビス孔１９ａ，１９ａが形成されており、側フレーム２１のバカ孔２１ｄ内にビスを通して、ビスをビス孔２１ｅからビス孔１９ｄに締め付けることで、上フレーム１９の先端に側フレーム２１を固定することができるものである。
一方、側フレーム２１の下端に連結される下フレーム２０は、水平片２０ａと垂直片２１ｂでＬ字状に形成されたものであり、水平片２０ａには間隔をおいてそれぞれ一対のビス孔２０ｃ，２０ｃが貫通形成されている。この下フレーム２０と側フレーム２１を連結するために連結材２２が用いられ、連結材２２は、水平片２２ａと垂直片２２ｂでＬ字状に形成されて、水平片２２ａおよび垂直片２２ｂには、それぞれビス孔２２ｃ，２２ｃが形成されている。
【００３０】
この連結材２２の水平片２２ａのビス孔２２ｃを下フレーム２０の何れかのビス孔２０ｃに整合させ、ビスを締め付けて連結することができ、連結材２２の垂直片２２ｂのビス孔２２ｃを側フレーム２１のビス孔２１ｅに整合させてビスを締め付けることで連結できるものであり、複数のビス孔２０ｃ，２１ｅにより連結位置を適宜変更させることができるように構成されている。
【符号の説明】
【００３１】
１ａ  床面
１ｂ  建築壁
２ａ，２ｂ，２ｃ，２ｄ  フレームユニット
３  梁フレーム
３ｃ  折れ片
４  垂直フレーム
５  連結フレーム
６  配管フレーム
７  アッパーキャビネット
８  キッチン本体
９  洗面台
１０  間仕切りパネル
１１  引き戸
１２  支持金具
１３  軸
１４  車輪
１５  背面収納キャビネット
１６  ユニットバス
１６ａ  防水パン
１６ｂ  内壁パネル
１６ｄ  ポスト材
１７ａ，１７ｂ，１７ｃ，１７ｄ  枠フレーム
１８  ドアサッシ
１９  上フレーム
１９ａ，２０ｃ，２１ｅ，２２ｃ  ビス孔
２０  下フレーム
２１  側フレーム
２１ｃ  折れ片
２１ｄ  バカ孔
２２  連結材
２３  間仕切りパネル
２４  パッキン材
２４ａ  基片
２４ｂ  当接片
２４ｃ  立上片
２４ｄ  鉤片
Ｓ１  キッチン空間
Ｓ２  洗面空間
Ｓ３  浴室空間
Ｋ  開口
【図１】
0005715426.tif 000002
【図２】
0005715426.tif 000003
【図３】
0005715426.tif 000004
【図４】
0005715426.tif 000005
【図５】
0005715426.tif 000006
【図６】
0005715426.tif 000007
【図７】
0005715426.tif 000008
【図８】
0005715426.tif 000009
【図９】
0005715426.tif 000010
【図１０】
0005715426.tif 000011
【図１１】
0005715426.tif 000012
【図１２】
0005715426.tif 000013
【図１３】
0005715426.tif 000014
【図１４】
0005715426.tif 000015
【図１５】
0005715426.tif 000016
【図１６】
0005715426.tif 000017
【図１７】
0005715426.tif 000018